【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
コンテンツの記録を制御する情報処理装置において、
ユーザに対して、想定される複数のユーザの中から自己を区別するための択一的な入力を促す促進手段と、
前記促進手段による促しに対応し、前記ユーザが、想定される複数のユーザの中から自己を区別するための前記択一的な入力を行った場合、前記択一的な入力に基づいて、操作入力を行った前記ユーザを識別する識別手段と
を含むことを特徴とする情報処理装置。
【請求項２】
操作入力から嗜好情報を取得する取得手段と、
前記取得手段によって取得された前記嗜好情報を、前記識別手段によって識別された前記ユーザに対応付けて管理する管理手段と
をさらに含むことを特徴とする請求項１に記載の情報処理装置。
【請求項３】
前記管理手段によって各ユーザにそれぞれ対応付けて管理される前記嗜好情報に基づき、前記コンテンツの録画予約を設定する設定手段と、
ユーザによって設定された録画予約、または前記設定手段によって設定された前記録画予約に対応して、コンテンツを記録する記録手段と
をさらに含むことを特徴とする請求項２に記載の情報処理装置。
【請求項４】
前記記録手段によって予約録画された録画タイトルの視聴を、対応するユーザに勧める勧誘手段を
さらに含むことを特徴とする請求項３に記載の情報処理装置。
【請求項５】
前記記録手段によって予約録画された録画タイトルを視聴したユーザに対し、前記録画タイトルに対する感想を入力させ、前記感想に対応して前記ユーザに対応する前記嗜好情報を更新する感想入力手段を
さらに含むことを特徴とする請求項３に記載の情報処理装置。
【請求項６】
前記記録手段によって予約録画された録画タイトルの一覧を、対応するユーザ毎にソートして表示させる表示手段を
さらに含むことを特徴とする請求項３に記載の情報処理装置。
【請求項７】
前記取得手段は、前記コンテンツの録画予約のための前記操作入力から前記嗜好情報を取得する
ことを特徴とする請求項２に記載の情報処理装置。
【請求項８】
前記取得手段は、前記コンテンツに関するタイトルキーワード、キーワード、ジャンル、放送時間帯、またはチャンネルのうちの少なくとも１つを前記嗜好情報として取得する
ことを特徴とする請求項２に記載の情報処理装置。
【請求項９】
コンテンツの記録を制御する情報処理装置の記録制御方法において、
ユーザに対して、想定される複数のユーザの中から自己を区別するための択一的な入力を促す促進ステップと、
前記促進ステップの処理による促しに対応し、前記ユーザが、想定される複数のユーザの中から自己を区別するための前記択一的な入力を行った場合、前記択一的な入力に基づいて、操作入力を行った前記ユーザを識別する識別ステップと
を含むことを特徴とする記録制御方法。
【請求項１０】
コンテンツの記録を制御する情報処理装置の制御用のプログラムであって、
ユーザに対して、想定される複数のユーザの中から自己を区別するための択一的な入力を促す促進ステップと、
前記促進ステップの処理による促しに対応し、前記ユーザが、想定される複数のユーザの中から自己を区別するための前記択一的な入力を行った場合、前記択一的な入力に基づいて、操作入力を行った前記ユーザを識別する識別ステップと
を含むことを特徴とするコンピュータが読み取り可能なプログラムが記録されている記録媒体。
【請求項１１】
コンテンツの記録を制御する情報処理装置の制御用のプログラムであって、
ユーザに対して、想定される複数のユーザの中から自己を区別するための択一的な入力を促す促進ステップと、
前記促進ステップの処理による促しに対応し、前記ユーザが、想定される複数のユーザの中から自己を区別するための前記択一的な入力を行った場合、前記択一的な入力に基づいて、操作入力を行った前記ユーザを識別する識別ステップと
を含む処理をコンピュータに実行させることを特徴とするプログラム。
【手続補正２】
【補正対象書類名】明細書
【補正対象項目名】発明の名称
【補正方法】変更
【補正の内容】
【発明の名称】情報処理装置、記録制御方法、記録媒体、およびプログラム
【手続補正３】
【補正対象書類名】明細書
【補正対象項目名】０００１
【補正方法】変更
【補正の内容】
【０００１】
本発明は、情報処理装置、記録制御方法、記録媒体、およびプログラムに関し、例えば、複数のユーザの嗜好にそれぞれ対応して、テレビジョン番組を録画予約したり、録画した番組の視聴を勧めたりするようにした情報処理装置、記録制御方法、記録媒体、およびプログラムに関する。
【手続補正４】
【補正対象書類名】明細書
【補正対象項目名】０００９
【補正方法】変更
【補正の内容】
【０００９】
本発明の情報処理装置は、ユーザに対して、想定される複数のユーザの中から自己を区別するための択一的な入力を促す促進手段と、促進手段による促しに対応してユーザが、想定される複数のユーザの中から自己を区別するための択一的な入力を行った場合、択一的な入力に基づいて、操作入力を行ったユーザを識別する識別手段とを含むことを特徴とする。
【手続補正５】
【補正対象書類名】明細書
【補正対象項目名】００１０
【補正方法】変更
【補正の内容】
【００１０】
本発明の情報処理装置は、操作入力から嗜好情報を取得する取得手段と、取得手段によって取得された嗜好情報を、識別手段によって識別されたユーザに対応付けて管理する管理手段とをさらに含むことができる。
【手続補正６】
【補正対象書類名】明細書
【補正対象項目名】００１１
【補正方法】変更
【補正の内容】
【００１１】
本発明の情報処理装置は、管理手段によって各ユーザにそれぞれ対応付けて管理される嗜好情報に基づき、コンテンツの録画予約を設定する設定手段と、ユーザによって設定された録画予約、または設定手段によって設定された録画予約に対応して、コンテンツを記録する記録手段とをさらに含むことができる。
【手続補正７】
【補正対象書類名】明細書
【補正対象項目名】００１２
【補正方法】変更
【補正の内容】
【００１２】
本発明の情報処理装置は、記録手段によって予約録画された録画タイトルの視聴を、対応するユーザに勧める勧誘手段をさらに含むことができる。
【手続補正８】
【補正対象書類名】明細書
【補正対象項目名】００１３
【補正方法】変更
【補正の内容】
【００１３】
本発明の情報処理装置は、記録手段によって予約録画された録画タイトルを視聴したユーザに対し、録画タイトルに対する感想を入力させ、感想に対応してユーザに対応する嗜好情報を更新する感想入力手段をさらに含むことができる。
【手続補正９】
【補正対象書類名】明細書
【補正対象項目名】００１４
【補正方法】変更
【補正の内容】
【００１４】
本発明の情報処理装置は、記録手段によって予約録画された録画タイトルの一覧を、対応するユーザ毎にソートして表示させる表示手段をさらに含むことを特徴とする。
【手続補正１０】
【補正対象書類名】明細書
【補正対象項目名】００１５
【補正方法】変更
【補正の内容】
【００１５】
前記取得手段は、コンテンツの録画予約のための操作入力から嗜好情報を取得するようにすることができる。
【手続補正１１】
【補正対象書類名】明細書
【補正対象項目名】００１６
【補正方法】変更
【補正の内容】
【００１６】
前記取得手段は、コンテンツに関するタイトルキーワード、キーワード、ジャンル、放送時間帯、またはチャンネルのうちの少なくとも１つを嗜好情報として取得するようにすることができる。
【手続補正１２】
【補正対象書類名】明細書
【補正対象項目名】００１７
【補正方法】変更
【補正の内容】
【００１７】
本発明の記録制御方法は、ユーザに対して、想定される複数のユーザの中から自己を区別するための択一的な入力を促す促進ステップと、促進ステップの処理による促しに対応してユーザが、想定される複数のユーザの中から自己を区別するための択一的な入力を行った場合、択一的な入力に基づいて、操作入力を行ったユーザを識別する識別ステップとを含むことを特徴とする。
【手続補正１３】
【補正対象書類名】明細書
【補正対象項目名】００２０
【補正方法】変更
【補正の内容】
【００２０】
本発明の情報処理装置、記録制御方法、およびプログラムにおいては、ユーザに対して、想定される複数のユーザの中から自己を区別するための択一的な入力が促され、この促しに対応してユーザが、想定される複数のユーザの中から自己を区別するための択一的な入力を行った場合、択一的な入力に基づいて、操作入力を行ったユーザが識別される。
【手続補正１４】
【補正対象書類名】明細書
【補正対象項目名】００２４
【補正方法】変更
【補正の内容】
【００２４】
本発明の情報処理装置は、テレビジョン番組のＡＶデータを記録する情報処理装置（例えば、図２のビデオレコーダ１）において、ユーザに対して、想定される複数のユーザの中から自己を区別するための択一的な入力を促す促進手段（例えば、図１７のステップＳ１の処理を行う図２の制御部１１）と、前記促進手段による促しに対応し、前記ユーザが、想定される複数のユーザの中から自己を区別するための前記択一的な入力を行った場合、前記択一的な入力に基づいて、操作入力を行った前記ユーザを識別する識別手段（例えば、図１７のステップＳ３の処理を行う図２の制御部１１）とを含む。
本発明の情報処理装置は、操作入力から嗜好情報を取得する取得手段（図３の嗜好情報管理部６４）と、前記取得手段によって取得された前記嗜好情報を、前記識別手段によって識別された前記ユーザに対応付けて管理する管理手段（図３の嗜好情報管理部６４）とをさらに含む。
本発明の情報処理装置は、前記管理手段によって各ユーザにそれぞれ対応付けて管理される前記嗜好情報に基づき、前記コンテンツの録画予約を設定する設定手段（図３の自動録画予約制御部７３）と、ユーザによって設定された録画予約、または前記設定手段によって設定された前記録画予約に対応して、コンテンツのＡＶデータを記録する記録手段（図３の録画制御部５３）とをさらに含む。
本発明の情報処理装置は、前記記録手段によって予約録画された録画タイトルの視聴を、対応するユーザに勧める勧誘手段（図３の推薦タイトル通知部６２）をさらに含む。
本発明の情報処理装置は、前記記録手段によって予約録画された録画タイトルを視聴したユーザに対し、前記録画タイトルに対する感想を入力させ、前記感想に対応して前記ユーザに対応する前記嗜好情報を更新する感想入力手段（図３の推薦タイトル通知部６２、嗜好情報管理部６４）をさらに含む。
本発明の情報処理装置は、前記記録手段によって予約録画された録画タイトルの一覧を、対応するユーザ毎にソートして表示させる表示手段（図３の録画タイトル管理部６１）をさらに含む。
本発明の記録制御方法は、コンテンツテレビジョン番組のＡＶデータを記録する記録制御方法において、ユーザに対して、想定される複数のユーザの中から自己を区別するための択一的な入力を促す促進ステップ（例えば、図１７のステップＳ１）と、前記促進ステップの処理による促しに対応し、前記ユーザが、想定される複数のユーザの中から自己を区別するための前記択一的な入力を行った場合、前記択一的な入力に基づいて、操作入力を行った前記ユーザを識別する識別ステップ（例えば、図１７のステップＳ３）とを含む。
【手続補正１５】
【補正対象書類名】明細書
【補正対象項目名】００７５
【補正方法】変更
【補正の内容】
【００７５】
また、ビデオレコーダ１によれば、録画タイトルをジャンルや対象とするユーザを指定してソートし、一覧表示することができるので、ユーザは、所望する録画タイトルを容易に見つけ出すことができる。